(57)【要約】【課題】  隣接するプレキャストコンクリート部材間の接合部を容易に分断して解体できるように構成し、解体後のプレキャストコンクリート部材を再利用可能とする。【解決手段】  複数のプレキャストコンクリート部材２、４を組み合わせ、隣接するプレキャストコンクリート部材２、４間を接合剤３０によって一体に接合してなるコンクリート構造物であって、隣接するプレキャストコンクリート部材２、４間を有機系接合剤３０によって一体に接合するとともに、接合部６を加熱して熱劣化させる加熱手段を備える。加熱手段により接合部６を加熱することにより、接合部６を構成している有機系接合剤３０が熱劣化され、接合部６の接合強度が低下され、隣接するプレキャストコンクリート部材２、４間を容易に分断、解体可能とし、解体後のプレキャストコンクリート部材２、４を再利用可能とする。【選択図】        図１
2006144344.tif 000002
【特許請求の範囲】
【請求項１】
複数のプレキャストコンクリート部材を組み合わせ、隣接するプレキャストコンクリート部材間を接合剤によって一体に接合してなるコンクリート構造物であって、
隣接するプレキャストコンクリート部材間を有機系接合剤によって一体に接合し、該接合部には、該接合部を加熱して前記有機接合剤を熱劣化させる加熱手段を備えていることを特徴とするコンクリート構造物。
【請求項２】
前記隣接するプレキャストコンクリート部材間は、隣接する一方のプレキャストコンクリート部材から突出する補強部材の先端部を、隣接する他方のプレキャストコンクリート部材に設けられるシース孔内に挿入又は挿通させた状態で、該シース孔内に有機系接合剤を充填して硬化させることにより、一体に接合されていることを特徴とする請求項１に記載のコンクリート構造物。
【請求項３】
前記有機系接合剤は、エポキシ系又はアクリル系樹脂接着剤、又はエポキシ系又はアクリル系樹脂に硅砂を混入してなる接着剤であることを特徴とする請求項１又は２に記載のコンクリート構造物。
【請求項４】
前記加熱手段は、前記隣接する一方のプレキャストコンクリート部材に設けられる補強部材と、該補強部材に密着した状態で設けられる電熱線と、該電熱線に電圧を印加する電源とからなることを特徴とする特徴とする請求項１から３の何れかに記載のコンクリート構造物。
【請求項５】
前記加熱手段は、前記一方のプレキャストコンクリート部材に設けられる補強部材と、該補強部材に電圧を印加する電源とからなることを特徴とする請求項１から３の何れかに記載のコンクリート構造物。
【請求項６】
複数のプレキャストコンクリート部材を組み合わせ、隣接するプレキャストコンクリート部材間を接合剤によって一体に接合してなるコンクリート構造物の解体方法であって、
複数のプレキャストコンクリート部材を組み合わせ、隣接するプレキャストコンクリート部材間を有機系接合剤によって一体に接合することによりコンクリート構造物を組み立て、この際、隣接するプレキャストコンクリート部材間の接合部に該接合部を加熱する加熱手段を設け、
前記コンクリート構造物の解体の際に、前記隣接するプレキャストコンクリート部材の接合部を前記加熱手段により加熱して前記有機系接合剤を熱劣化させることにより、該接合部の接合強度を低下させることを特徴とするコンクリート構造物の解体方法。
【発明の詳細な説明】
【技術分野】
【０００１】
本発明は、コンクリート構造物及びコンクリート構造物の解体方法に関し、特に、構造材料にプレキャストコンクリート部材を使用したコンクリート構造物及びコンクリート構造物の解体方法に関する。
【背景技術】
【０００２】
一般に、構造材料（柱、梁、スラブ、耐力壁等）にプレキャストコンクリート部材を使用してなる集合住宅、オフィスビル等のコンクリート構造物は、複数のプレキャストコンクリート部材を組み合わせ、隣接するプレキャストコンクリート部材間を無機グラウトによって一体に接合することにより全体を組み立てている。
【０００３】
例えば、梁の継手部分においては、水平方向に隣接する一方のプレキャストコンクリート部材（梁）の端面から突出させた補強部材（鉄筋、ＰＣ鋼棒等）を他方のプレキャストコンクリート部材（梁）の端面に設けたシース孔内に挿入し、シース孔内に無機グラウトを充填して硬化させることにより、両プレキャストコンクリート部材間を一体に接合している。
【０００４】
また、柱と柱梁交差部との接合部においては、垂直方向に隣接する一方のプレキャストコンクリート部材（柱）の上端面から突出させた補強部材（鉄筋、ＰＣ鋼棒等）を他方のプレキャストコンクリート部材（梁）に設けたシース孔内に挿入し、シース孔内に無機グラウトを充填して硬化させることにより、両プレキャストコンクリート部材間を一体に接合している。
【０００５】
さらに、柱と梁との接合部においては、水平方向に隣接する一方のプレキャストコンクリート部材（スラブ）の両端面から突出させた補強部材（鉄筋、ＰＣ鋼棒等）を他方のプレキャストコンクリート部材（柱）のシース孔内を挿通させ、補強部材に緊張力を付与し、シース孔内に無機グラウトを充填して硬化させることにより、両プレキャストコンクリート部材間を一体に接合している（例えば、特許文献１参照。）。
【特許文献１】特開平５−３４０００３号公報
【発明の開示】
【発明が解決しようとする課題】
【０００６】
ところで、上記のような複数のプレキャストコンクリート部材を組み合わせてなるコンクリート構造物にあっては、隣接するプレキャストコンクリート部材間を無機グラウトによって一体に接合することにより、隣接するプレキャストコンクリート部材間を一体化しているため、解体する場合に、強度の高い無機グラウトからなる接合部の存在によってプレキャストコンクリート部材単体ごとに解体するのが困難である。このため、解体後のプレキャストコンクリート部材を単体として再利用することができない。また、解体作業時に大きな騒音や振動が発生したり、粉塵が発生したりすることがあるため、近隣に多大な迷惑をかけることがある。
【０００７】
本発明は、上記のような従来の問題に鑑みなされたものであって、プレキャストコンクリート部材単体ごとに容易に解体することができて、解体したプレキャストコンクリート部材を単体として再利用することができ、さらに、解体作業に伴って大きな騒音や振動を発生させたり、粉塵を発生させたりするようなことがなく、近隣に迷惑をかけることがない、コンクリート構造物及びコンクリート構造物の解体方法を提供することを目的とするものである。
【課題を解決するための手段】
【０００８】
本発明は、上記のような課題を解決するために、以下のような手段を採用している。
すなわち、請求項１に係る発明は、複数のプレキャストコンクリート部材を組み合わせ、隣接するプレキャストコンクリート部材間を接合剤によって一体に接合してなるコンクリート構造物であって、隣接するプレキャストコンクリート部材間を有機系接合剤によって一体に接合し、該接合部には、該接合部を加熱して前記有機系接合剤を熱劣化させる加熱手段を備えていることを特徴とする。
本発明によるコンクリート構造物によれば、隣接するプレキャストコンクリート部材間を有機系接合剤によって一体に接合することにより全体が組み立てられてコンクリート構造物が建造される。そして、コンクリート構造物を解体する際には、隣接するプレキャストコンクリート部材の接合部を加熱手段により加熱し、接合部を構成している有機系接合剤を熱劣化させることにより、接合部の接合強度が低下し、プレキャストコンクリート部材単体ごとの解体が可能となる。
【０００９】
請求項２に係る発明は、請求項１に記載のコンクリート構造物であって、前記隣接するプレキャストコンクリート部材間は、隣接する一方のプレキャストコンクリート部材から突出する補強部材の先端部を、隣接する他方のプレキャストコンクリート部材に設けられるシース孔内に挿入又は挿通させた状態で、該シース孔内に有機系接合剤を充填して硬化させることにより、一体に接合されていることを特徴とする。
本発明によるコンクリート構造物によれば、一方のプレキャストコンクリート部材の補強部材の先端部を他方のプレキャストコンクリート部材のシース孔内に挿入又は挿通させ、その状態でシース孔内に有機系接合剤を充填して硬化させることにより、隣接するプレキャストコンクリート部材間が一体に接合される。そして、コンクリート構造物を解体する際には、隣接するプレキャストコンクリート部材の接合部を加熱手段により加熱し、接合部を構成している有機系接合剤を熱劣化させることにより、接合部の接合強度が低下し、補強部材がシース孔から離脱可能な状態となり、プレキャストコンクリート部材単体ごとの解体が可能となる。
【００１０】
請求項３に係る発明は、請求項１又は２に記載のコンクリート構造物であって、前記有機系接合剤は、エポキシ系又はアクリル系樹脂接着剤、又はエポキシ系又はアクリル系樹脂に硅砂を混入してなる接着剤であることを特徴とする。
本発明によるコンクリート構造物によれば、隣接するプレキャストコンクリート間を接合する有機系接合剤は、エポキシ系又はアクリル系樹脂接着剤、又はエポキシ系又はアクリル系樹脂に硅砂を混入してなる接着剤からなるので、接合部を３００℃以下の温度で加熱することにより、接合部を構成している有機系接着剤が熱劣化され、接合部の接合強度が低下し、補強部材がシース孔から離脱可能な状態となり、プレキャストコンクリート部材単体ごとの解体が可能となる。
【００１１】
請求項４に係る発明は、請求項１から３の何れかに記載のコンクリート構造物であって、前記加熱手段は、前記隣接する一方のプレキャストコンクリート部材に設けられる補強部材と、該補強部材に密着した状態で設けられる電熱線と、該電熱線に電圧を印加する電源とからなることを特徴とする特徴とする。
本発明によるコンクリート構造物によれば、電源から電熱線に電圧を印加することにより、電熱線を介して補強部材が加熱され、補強部材に接触している接合部が加熱され、接合部を構成している有機系接合剤が熱劣化され、接合部の接合強度が低下し、補強部材がシース孔から離脱可能な状態となり、プレキャストコンクリート部材単体ごとの解体が可能となる。
【００１２】
請求項５に係る発明は、請求項１から３の何れかに記載のコンクリート構造物であって、前記加熱手段は、前記一方のプレキャストコンクリート部材に設けられる補強部材と、該補強部材に電圧を印加する電源とからなることを特徴とする。
本発明によるコンクリート構造物によれば、電源によって補強部材に電圧を直接に印加することにより補強部材が加熱され、補強部材を介して補強部材に接触している接合部が加熱され、接合部を構成している有機系接合剤が熱劣化され、接合部の強度が低下し、補強部材がシース孔から離脱可能な状態となり、プレキャストコンクリート部材単体ごとの解体が可能となる。
【００１３】
請求項６に係る発明は、複数のプレキャストコンクリート部材を組み合わせ、隣接するプレキャストコンクリート部材間を接合剤によって一体に接合してなるコンクリート構造物の解体方法であって、複数のプレキャストコンクリート部材を組み合わせ、隣接するプレキャストコンクリート部材間を有機系接合剤によって一体に接合することによりコンクリート構造物を組み立て、この際、隣接するプレキャストコンクリート部材間の接合部に該接合部を加熱する加熱手段を設け、前記コンクリート構造物の解体の際に、前記隣接するプレキャストコンクリート部材の接合部を前記加熱手段により加熱して前記有機系接合剤を熱劣化させることにより、該接合部の接合強度を低下させることを特徴とする。
本発明によるコンクリート構造物の解体方法によれば、隣接するプレキャストコンクリート部材間を有機系接合剤によって接合することにより、全体が組み立てられてコンクリート構造物が建造される。そして、コンクリート構造物を解体する際には、隣接するプレキャストコンクリート部材間の接合部を加熱手段によって加熱し、接合部を構成している有機系接合剤を熱劣化させ、接合部の強度を低下させることにより、プレキャストコンクリート部材単体ごとの解体が可能となる。
【発明の効果】
【００１４】
以上、説明したように、本発明のコンクリート構造物及びコンクリート構造物の解体方法によれば、隣接するプレキャストコンクリート部材間は有機系接合剤（例えば、エポキシ系又はアクリル系樹脂接着剤、又はエポキシ系又はアクリル系樹脂に硅砂を混入してなる接着剤）によって接合され、この接合部を構成している有機系接合剤は、加熱手段（鉄筋、電熱線等）によって３００℃以下の温度で加熱されることにより、熱劣化されて強度が低下することになる。従って、例えば、補強部材とシース孔と有機系接合剤との協働により隣接するプレキャストコンクリート部材間を一体に接合した場合には、一方のプレキャストコンクリート部材の補強部材が他方のプレキャストコンクリート部材のシース孔から離脱可能な状態となるので、プレキャストコンクリート部材単体ごとの解体が可能となり、解体後のプレキャストコンクリートを単体として再利用することが可能となる。また、隣接するプレキャストコンクリート部材間の接合部の接合強度を低下させてから、両プレキャストコンクリート部材間を分断し、解体することになるので、解体の際に大きな騒音や振動が発生したり、粉塵が発生するようなことがなく、近隣に多大な迷惑をかけるようなことがなく、解体作業を行うことができる。
【発明を実施するための最良の形態】
【００１５】
以下、図面を参照しつつ本発明の実施の形態について説明する。
図１〜図４には、本発明によるコンクリート構造物の一実施の形態が示されていて、図１は梁の継手部の説明図、図２は柱と柱梁交差部との接合部の説明図、図３は柱と梁との接合部の説明図、図４は図１〜図３の部分拡大図である。
【００１６】
すなわち、このコンクリート構造物は、梁、柱、スラブ等の構造材料をプレキャストコンクリート部材によって構成した集合住宅、オフィスビル等であって、複数のプレキャストコンクリート部材を組み合わせて、隣接するプレキャストコンクリート部材間を有機系接合剤によって一体に接合し、全体を組み立てるように構成したものである。
【００１７】
このようなコンクリート構造物の梁の継手部１においては、図１（ａ）（ｂ）に示すように、水平方向に隣接する一方のプレキャストコンクリート部材２（一方の梁）の一端面から突出させた補強部材３（鉄筋、ＰＣ鋼棒等）を、他方のプレキャストコンクリート部材４（他方の梁）の一端面に設けたシース孔５（又はシース管）内に挿入させ、シース孔５（又はシース管）内に有機系接合剤３０を直接に又は供給孔（図示せず）を介して充填し、有機系接合剤３０を硬化させることにより、両プレキャストコンクリート部材２、４間を一体に接合している。
【００１８】
また、柱と柱梁交差部との接合部１１においては、図２（ａ）（ｂ）に示すように、上下方向に隣接する一方のプレキャストコンクリート部材１２（柱）の上端面から突出させた補強部材１３（鉄筋、ＰＣ鋼棒等）を、他方のプレキャストコンクリート部材１４（柱梁交差部）に設けた上下方向に貫通するシース孔１５（又はシース管）内を挿通させ、シース孔１５（又はシース管）内に有機系接合剤３０を直接に又は供給孔（図示せず）を介して充填し、有機系接合剤３０を硬化させることにより、両プレキャストコンクリート部材１２、１４間を一体に接合している。
【００１９】
さらに、柱と梁との接合部２１においては、図３に示すように、水平方向に隣接する一方のプレキャストコンクリート部材２２（梁）の両端面から突出させた補強部材２３（鉄筋、ＰＣ鋼棒等）を、他方のプレキャストコンクリート部材２４（柱）に設けた水平方向に貫通するシース孔２５（又はシース管）内を挿通させ、補強部材２３に緊張力を付与した状態でシース孔２５（又はシース管）内に直接に又は供給孔（図示せず）を介して有機系接合剤３０を充填し、有機系接合剤３０を硬化させることにより、両プレキャストコンクリート２２、２４部材間を一体に接合している。
【００２０】
上記のような梁の継手部１、柱と柱梁交差部との接合部１１、及び柱と梁との接合部２１を構成する一方のプレキャストコンクリート部材２、１２、２２には、図４に示すように、補強部材３、１３、２３の周囲に電熱線３２が密着した状態で設けられ、この電熱線３２は一方のプレキャストコンクリート部材２、１２、２２のコンクリートを貫通して外部に引き出され、図示しない電源に接続可能に構成されている。
【００２１】
この場合、電源と電熱線３２と補強部材３、１３、２３（鉄筋、ＰＣ鋼棒等）とによって加熱手段３１が構成され、この加熱手段３１を作動させて、電源によって電熱線３２に電圧を印加することにより、電熱線３２を介して補強部材３、１３、２３が加熱され、補強部材３、１３、２３に接触している有機系接合剤３０が加熱される。
【００２２】
電熱線３２は、補強部材３、１３、２３の周囲に少なくとも１本（この実施の形態においては２本）設ければ良い。電熱線３２は、補強部材３、２３、２３に沿って設けても良いし、補強部材３、１３、２３の周囲に螺旋状に巻き付けても良い。電熱線３２の種類は特に制限はなく、補強部材３、１３、２３を加熱できるものであれば良い。
【００２３】
なお、図示はしないが、補強部材３、１３、２３の周囲に電熱線３２を設けずに、補強部材３、１３、２３を直接に電源に接続して加熱手段３１を構成し、補強部材３、１３、２３を電源から直接に電圧を印加して加熱することにより、補強部材３、１３、２３に接触している有機系接合剤３０を加熱するように構成しても良い。
【００２４】
本実施の形態においては、一方のプレキャストコンクリート部材２、１２、２２の補強部材３、１３、２３を加熱手段３１により加熱する構成としているが、他方のプレキャストコンクリート部材４、１４、２４の補強部材も加熱手段により加熱するように構成しても良い。その場合には、シース孔５、１５、２５（又はシース管）に補強部材の一部を接続させ、補強部材を介してシース孔５、１５、２５（又はシース管）を加熱するように構成すれば良い。この場合にも、補強部材に電熱線を密着させた状態で設けて、電熱線を介して補強部材を加熱しても良いし、補強部材を直接に加熱しても良い。
【００２５】
有機系接合剤３０としては、エポキシ系樹脂接着剤、アクリル系樹脂接着剤、エポキシ系樹脂又はアクリル系樹脂に硅砂を混入させた接着剤等の有機系接着剤が有効である。これらの有機系接着剤は、３００度以下の温度（例えば、エポキシ系樹脂接着剤は約２７０度）で熱劣化する性質を有している。従って、各接合部６、１６、２６を３００度以下の温度（例えば、約２７０度）で加熱することにより有機系接着剤を熱劣化させることができ、一方のプレキャストコンクリート部材２、１２、２２と他方のプレキャストコンクリート部材４、１４、２４との間の接合強度を低下させ、両プレキャストコンクリート部材２―４、１２−１４、２２―２４間を容易に解体することが可能となる。
【００２６】
この場合、３００度以下の温度（例えば、２７０度）で両プレキャストコンクリート部材２―４、１２―１４、２２―２４間の接合部６、１６、２６を加熱しても、両プレキャストコンクリート部材２、４、１２、１４、２２、２４を構成している補強部材３、１３、２３（鉄筋、ＰＣ鋼棒等）、コンクリートの強度、品質には殆ど影響がないので、解体後のプレキャストコンクリート部材２、４、１２、１４、２２、２４を単体として再利用することが可能となる。
【００２７】
また、一方のプレキャストコンクリート部材２、１２、２２と他方のプレキャストコンクリート部材４、１４、２４との間の接合部６、１６、２６の強度を低下させた状態で両プレキャストコンクリート部材２―４、１２−１４、２２―２４間を分断して解体することになるので、解体の際に大きな騒音や振動が発生したり、粉塵が発生したりするようなことはなく、近隣に多大な迷惑をかけるようことはない。
【００２８】
そして、上記のように構成したコンクリート構造物を解体するには、梁の継手部１、柱と柱梁交差部との接合部１１、及び柱と梁との接合部２１に、加熱手段３１の電源から電熱線３２に電圧を印加し、電熱線３２を介して補強部材３、１３、２３を加熱することにより、補強部材３、１３、２３に接触している有機系接合剤３０を加熱し、有機系接合剤３０を熱劣化させる。
【００２９】
有機系接合剤３０を熱劣化させると、一方のプレキャストコンクリート部材２、１２、２２と他方のプレキャストコンクリート部材４、１４、２４との間の接合部６、１６、２６の接合強度が低下し、補強部材３、１３、２３がシース孔５、１５、２５から離脱可能な状態となり、両プレキャストコンクリート部材２―４、１２−１４、２２―２４間が容易に分断可能な状態となる。従って、両プレキャストコンクリート部材２、４、１２、１４、２２、２４を単体ごとに解体することができ、各プレキャストコンクリート部材２、４、１２、１４、２２、２４を単体として再利用することが可能となる。
【００３０】
この場合、接合部６、１６、２６を構成している有機系接合剤３０は、３００度以下の温度で容易に熱劣化することになるので、各プレキャストコンクリート部材２、４、１２、１４、２２、２４を構成しているコンクリート及び補強部材３、１３、２３が熱による影響を受けて品質、強度が低下するようなことはなく、解体後の各プレキャストコンクリート部材２、４、１２、１４、２２、２４を再利用することが可能となる。
【００３１】
また、両プレキャストコンクリート部材２―４、１２−１４、２２―２４間の接合部６、１６、２６の強度を低下させた状態で両プレキャストコンクリート部材２―４、１２−１４、２２―２４間を分断し、解体しているので、解体作業の際に、大きな騒音や振動が発生することがなく、また粉塵が発生することもないので、近隣に多大な迷惑をかけることなく、解体作業を行うことができる。
【００３２】
なお、前記の説明においては、一方のプレキャストコンクリート部材２、１２、２２の補強部材３、１３、２３を他方のプレキャストコンクリート部材４、１４、２４のシース孔５、１５、２５内に挿入又は挿通させて、シース孔５、１５、２５内に有機系接合剤３０を充填して硬化させることにより、隣接するプレキャストコンクリート部材２―４、１２―１４、２２―２４間を一体に接合しているが、このような補強部材３、１３、２３とシース孔５、１５、２５との組み合わせに限らず、他の周知の組み合わせに本発明を適用しても良いものであり、その場合にも、同様の作用効果を奏するものである。
【００３３】
また、前記の説明においては、本発明を梁の継手部１、柱と柱梁交差部との接合部１１、及び柱と梁との接合部２１を有する集合住宅、オフィスビル等のコンクリート構造物に適用したが、それ以外のコンクリート構造物に本発明を適用しても良いものであり、その場合にも同様の作用効果を奏するのは勿論のことである。
【図面の簡単な説明】
【００３４】
【図１】本発明によるコンクリート構造物の一実施の形態を示した説明図であって、梁の継手部を示した説明図（（ａ）は接合前の状態、（ｂ）は接合後の状態）である。
【図２】柱と柱梁交差部との接合部を示した説明図（（ａ）は接合前の状態、（ｂ）は接合後の状態）である。
【図３】柱と梁との接合部を示した説明図である。
【図４】図１〜図３の部分拡大断面図である。
【符号の説明】
【００３５】
１  梁の継手部
２、１２、２２  一方のプレキャストコンクリート部材
３、１３、２３  補強部材
４、１４、２４  他方のプレキャストコンクリート部材
５、１５、２５  シース孔
６、１６、２６  接合部
１１  柱と柱梁交差部との接合部
２１  柱と梁との接合部
３０  有機系接合剤
３１  加熱手段
３２  電熱線
【図１】
2006144344.tif 000003
【図２】
2006144344.tif 000004
【図３】
2006144344.tif 000005
【図４】
2006144344.tif 000006